(57)【要約】【課題】流通時及び使用期間中の休止時に保管することで薬剤の減耗、自然揮散を防止できる包装体とする。【解決手段】ガスバリアー性包装材から成る底板１０と周面板１１を備えた容器本体１と、ガスバリアー性包装材から成る上面板２０と周面板２１を備えた蓋体２を有し、この容器本体１の周面板１１と蓋体２の周面板２１を着脱自在に嵌合して連結することで収容空間部４を形成し、この収容空間部４は薬剤保持体３の外周面形状と同一で、その薬剤保持体３の外周面と収容空間４の内周面との間に隙間が生じないようにし、時間の経過とともに薬剤保持体３の薬剤濃度が低下しないようにした薬剤保持体の包装体。【選択図】図２
2006298447.tif 000002
【特許請求の範囲】
【請求項１】
ガスバリアー性包装材からなる容器本体１と、蓋体２を着脱自在に嵌合して連結し、薬剤保持体３を収容する収容空間部４を密閉して形成する包装体で、
前記収容空間部４は薬剤保持体３の外周面形状と同一形状で、その薬剤保持体３の外周面を収容空間部４の内周面との間に隙間が生じないようにしたことを特徴とする薬剤保持体の包装体。
【請求項２】
薬剤保持体３は薬剤含浸体３０を上下の支持体で挟持したもので、
その上下の支持体が収容空間部４の内周面に接するようにして収容する請求項１記載の薬剤保持体の包装体。
【請求項３】
薬剤保持体３は薬剤含浸体３０を上下の支持体で挟持し、その上下の支持体の開口部を通して薬剤含浸体３０に空気が流通するもので、
前記容器本体１及び／又は蓋体２に、前記開口部内に突出する突起部を設けた請求項１記載の薬剤保持体の包装体。
【請求項４】
容器本体１を底板１０と周面板１１で上面が開口した箱形状とし、
蓋体２を上面板２０と周面板２１で下面が開口した箱形状とし、その周面板１１，２１相互を嵌合して着脱自在に連結することで収容空間４を形成するようにした請求項１記載の薬剤保持体の包装体。
【発明の詳細な説明】
【技術分野】
【０００１】
本発明は、揮散性薬剤を含有する薬剤保持体を密封して包装する薬剤保持体の包装体に関する。
【背景技術】
【０００２】
揮散性薬剤を含有する薬剤保持体は、空気に触れると薬剤が揮散するので、その薬剤保持体を流通時に空気と触れないようにしている。例えば害虫駆除剤である揮散性殺虫剤をマットに含浸した蚊取剤や揮散性防虫剤を通気性容器に収納した吊り下げ式防虫剤などは、ガスバリヤー性のラミネート包装材からなる包装袋に収納して密封し、流通時に薬剤保持体が空気に触れないようにしている。
前述のラミネート包装材としてはガスバリヤー性の包装材に熱溶着性の包装材をラミネートしたものが知られ、ヒートシールして密封されている。
また、特許文献１に、外側に溶着性樹脂層を有するラミネート包装材からなる密封包装容器が開示されている。
【０００３】
【特許文献１】特開２００３−７２８５９号公報
【発明の開示】
【発明が解決しようとする課題】
【０００４】
前述したラミネート包装材で密封された薬剤保持体と包装材との間には隙間があり、その隙間の空気と薬剤保持体が触れることで、揮散性薬剤は時間の経過と共に、該薬剤が包装材内で充満して薬剤保持体の薬剤濃度が低下していき効力が弱くなったり、効力の持続時間が短くなる、また包装材が劣化し、色変や剥離するなどの問題がある。
これらの問題は、長期間にわたって使用する薬剤含有濃度の高い薬剤保持体について生じやすい。また包装材中、特に熱溶着性包装材が薬剤を吸着しやすい。
また、前述の密封包装容器で包装された薬剤保持体の揮散性薬剤は容器に吸着されることがないが、このようにして包装するのは作業に手間を要するから、多量生産の場合には不向きである。
【０００５】
また、前述した各薬剤保持体の密封して包装する目的は、流通時に空気と触れないようにすることであり、使用時開封されるとそのまま廃棄されている。
このために、使用期間中にその使用を中断したり、長い間休止する場合に、前記保持体中の揮散性薬剤が自然揮散し、薬剤含有濃度が低下することがある。
このことは、長期間使用タイプの薬剤保持体の場合に著しい。
【０００６】
本発明の目的は、流通時に薬剤が減耗することなく保管できると共に、簡単に包装でき、しかも使用期間中の休止時保管することで薬剤の自然揮散を防止できるようにした薬剤保持体の包装体を提供することである。
【課題を解決するための手段】
【０００７】
第１の発明はガスバリアー性包装材からなる容器本体１と、蓋体２を着脱自在に嵌合して連結し、薬剤保持体３を収容する収容空間部４を密閉して形成する包装体で、
前記収容空間部４は薬剤保持体３の外周面形状と同一形状で、その薬剤保持体３の外周面を収容空間部４の内周面との間に隙間が生じないようにしたことを特徴とする薬剤保持体の包装体である。
【０００８】
第２の発明は、第１の発明において、薬剤保持体３は薬剤含浸体３０を上下の支持体で挟持したもので、
その上下の支持体が収容空間部４の内周面に接するようにして収容する薬剤保持体の包装体である。
【０００９】
第３の発明は、第１の発明において、薬剤保持体３は薬剤含浸体３０を上下の支持体で挟持し、その上下の支持体の開口部を通して薬剤含浸体３０に空気が流通するもので、
前記容器本体１及び／又は蓋体２に、前記開口部内に突出する突起部を設けた薬剤保持体の包装体である。
【００１０】
第４の発明は、第１の発明において、容器本体１を底板１０と周面板１１で上面が開口した箱形状とし、
蓋体２を上面板２０と周面板２１で下面が開口した箱形状とし、その周面板１１，２１相互を嵌合して着脱自在に連結することで収容空間４を形成するようにした薬剤保持体の包装体である。
【発明の効果】
【００１１】
請求項１に係る発明によれば、包装体の収容空間部４と薬剤保持体３との間に隙間がないので、薬剤保持体３の薬剤濃度が時間の経過とともに低下することがなく、流通時に薬剤が減耗することなく保管できる。
また、容器本体１と蓋体２を嵌合して連結することで薬剤保持体３を収容できるから、簡単に包装できる。
また、容器本体１と蓋体２の嵌合、分離を繰り返しすることで薬剤保持体３の収容、取り出しを繰り返してできるから、使用期間中の休止時に薬剤保持体３を再び収容することで薬剤の自然揮散を防止できる。
【００１２】
請求項２に係る発明によれば、薬剤保持体３を収容空間部４に安定して収容できると共に、薬剤含浸体３０を容器本体１、蓋体２と触れないようにして薬剤が容器本体１、蓋体２に付着しないようにできる。
【００１３】
請求項３に係る発明によれば、薬剤保持体３の上下の支持体の開口部の一部分を突起部で閉塞するので、その開口部によって薬剤保持体３と収容空間部４との間に生じる隙間が減少するから、薬剤濃度が時間の経過とともに減耗することが少ない。
【００１４】
請求項４に係る発明によれば、容器本体１と蓋体２を簡単に連結、分離でき、流通後、使用時に簡単に分離した後に簡単に連結して再使用できるので、使用期間中の休止時薬剤保持体３を保管するのに使われるものとして好ましい。
【発明を実施するための最良の形態】
【００１５】
図１と図２に示すように、容器本体１と蓋体２で包装体としてある。
この容器本体１と蓋体２はガスバリアー性包装材からなり、その容器本体１と蓋体２は着脱自在に嵌合して連結されて薬剤保持体３を収容する収容空間部４を形成している。
この収容空間部４は薬剤保持体３の外周面形状と同一形状で、その薬剤保持体３の外周面と収容空間部４の内周面との間に隙間が生じないようにしてある。なお、同一形状とは、全く同一であることが好ましいが、若干異なり、わずかな隙間が生じる場合も含むこととする。
前記容器本体１と蓋体２との嵌合部には隙間がなく、空気が流通しないようにしてある。これによって、前述の収容空間部４は密閉されて空気が流通しない。
【００１６】
前記容器本体１は底板１０と周面板１１で上面が開口した浅く、扁平状の箱形状である。
前記蓋体２は上面板２０と周面板２１で下面が開口した浅く、扁平の箱形状で、その周面板２１の内周面２１ａの全周と前記周面板１１の外周面１１ａの全周が隙間なく全周に亘って接触するように嵌合する。
これによって、容器本体１と蓋体２の嵌合部の密着面積が大きく密封性を強固にすると共に、気密性が高くなり、収納空間部４に空気が流入することを確実に防止できる。
前記底板１０、上面板２０にはリング状の凹凸部１２，２２がそれぞれ形成され、底板１０、上面板２０の平面強度が強化されている。
このように、底板１０、上面板２０を強化することで流通時等の取り扱い時に撓みがなくなり、前述の収容空間部４の内周面と薬剤保持体３の外周面との間に隙間が生じ難くなる。
この凹凸部１２，２２は肉厚にして強化しても良いし、十文字形状としても良く、さらには複数設けても良い。
【００１７】
前記周面板１１、周面板２１には複数の凹凸状の止め部１３，２３が形成してあり、蓋体２を取付けることで相互の止め部１３，２３が嵌まり合って外れ難くなる。
前記蓋体２は、その上面板２０の外周縁と周面板２１の内周面２１ａとでリング状の凹陥部２４を形成し、この凹陥部２４に容器本体１の周面板１１の上端部分が嵌合し、容器本体１と蓋体２がより強固で、高気密性を保持して連結される。
【００１８】
前記薬剤保持体３は薬剤含浸体３０を上支持体３１と下支持体３２で挟持し、その上支持体３１の開口部３１ａと下支持体３２の開口部３２ａを通して薬剤含浸体３０に空気が流通する。
そして、上支持体３１が蓋体２に接し、下支持体３２が容器本体１に接することで、薬剤含浸体３０が蓋体２、容器本体１に接触しないようにして薬剤が付着しないようにしてある。
【００１９】
前記薬剤保持体３の上支持体３１は受け皿形状で、下支持体３２はリング体に押さえ片を放射状に設けたものとし、その受け皿形状の上支持体３１に薬剤含浸体３０を挿入し、かつリング体を嵌合して薬剤含浸体３０を押しつけ保持するものでも良い。
また、薬剤保持体３は薬剤含浸体３０の外周縁をリング状の上支持体３１と下支持体３２で挟持するようにしても良い。
【００２０】
前述の実施の形態では容器本体１内に薬剤保持体３を嵌合し、その容器本体１に蓋体２を嵌合したが、これに限ることはない。
例えば、図３に示すように蓋体２に薬剤保持体３を嵌合し、この蓋体２を容器本体１の周面板１１の内周面１１ｂに嵌合する。
また、図４に示すように容器本体１に薬剤保持体３を嵌合し、その薬剤保持体３の下支持体３２を容器本体１と蓋体２で挟持すると共に、上支持体３１を蓋体２で押しつけ保持する。
【００２１】
図３に示す上支持体３１が前述した受け皿形状で、下支持体３２がリング体３２ｂに押さえ片３２ｃを放射状に設けたものである。
蓋体２の周面板２１は断面上向きコ字状で、その内周面２１ａに上支持体３１が嵌合し、外周面２１ｂが容器本体１の周面板１１の内周面１１ｂに嵌合している。
このようにすることで、容器本体１と蓋体２の嵌合部の密着面積がより大きくなるので、気密性をより高めることができる。
【００２２】
図４に示す上支持体３１がリング体３１ｂに押さえ片３１ｃを放射状に設けたもので、下支持体３２が受け皿形状である。
蓋体２の凹陥部２４が容器本体１の周面板１１と下支持体３２に嵌合し、上面板２０が上支持体３１に接している。
【００２３】
前述のように薬剤保持体３を薬剤含浸体３０と上下支持体３１，３２で形成し、その上下支持体３１，３２に開口部３１ａ、３２ａを形成した場合に、その開口部３１ａ，３２ａ部分が、薬剤保持体３の外周面と収容空間部４の内周面との間の隙間となるので、容器本体１と蓋体２の少なくとも一方に突起部を設け、その突起部を開口部３１ａ，３２ａに突出して前述の隙間を小さくする。
【００２４】
例えば、図５に示すように容器本体１の底板１０における下支持体３１の開口部３１ａと対向した部分に突起部１０ａを設け、この突起部１０ａを下支持体３１の開口部３１ａに突出する。この突起部１０ａは薬剤含浸体３０とは接触しないようにする。
なお、蓋体２の上面板２０における上支持体３２の開口部３２ａと対向した部分に突起部を設けても良い。
【００２５】
図６に示すように、容器本体１の底板１０における下支持体３２の開口部３２ａと対向した部分に突起部１０ａを形成し、その突起部１０ａを開口部３２ａ内に突出する。
蓋体２の上面板２０における上支持体３１の開口部３１ａと対向した部分に突起部２０ａを形成し、その突起部２０ａを開口部３１ａ内に突出する。
【００２６】
以上の実施の形態では包装体に１つの薬剤保持体を収容したが、複数の薬剤保持体を収容するようにしても良い。
例えば、図７に示すように薬剤保持体３を上下に重ね合わせて包装体の収容空間部４内に収容する。
この場合には、薬剤保持体３の上支持体３１の中央部と下支持体３２の中央部に相互に嵌合する突部３３と凹部３４を形成して重ね合わせた２つの薬剤保持体３がずれたりせずに安定して重ね合わせることができる。
また、図示は省略するが、包装体に収容空間４を平面方向に離隔して複数形成し、その各収容空間４に薬剤保持体３をそれぞれ収容するようにしても良い。
【００２７】
本発明の薬剤保持体３は、送風放散用、加熱蒸散用、自然揮散用のいずれにも用いることができる。
また、本発明の薬剤保持体３は、薬剤含浸体を粒状とし、上下の支持体を容器形状とし、その容器形状の上下の支持体内に薬剤含浸体を収容するようにしても良い。
【００２８】
本発明の薬剤保持体の包装体は、消費者にわたり使用するまでの流通時の保管及び／又は使用期間中において使用を休止する間の保管に採用される。
また、この包装体を通常の包装袋に収容してもよく、複数個の包装体を収納したり、店頭でハンガーに吊るしたり、薬剤保持体の薬剤揮散用具と一緒に収納する、等の場合、採用される。
【００２９】
本発明で用いるガスバリアー性包装材としては、、ポリエステル（ポリエチレンテレフタレート）、ポリエチレン、エチレン・酢酸ビニル共重合体、ポリアクリルニトリル、ポリプロピレン、ナイロン、ポリ塩化ビニル、ポリ塩化ビニリデン、またはアルミニウム、セラミック、ガラスなどの蒸着物、あるいはこれらの複層物が挙げられる。
包装体を構成する容器本体１と蓋体２がそれぞれ異なる包装材で合っても良い。
【００３０】
本発明において使用される薬剤としては、芳香剤、消臭剤、殺菌剤、殺ダニ剤、害虫あるいは害獣忌避剤、殺虫剤または害虫の成長制御剤、吸血行動阻止剤などで、揮散性のものが用いられる。
そして、上記の薬剤で、殺虫を目的として使用する場合、従来より用いられている各種揮散性殺虫剤を用いることができ、ピレスロイド系殺虫剤、カーバメート系殺虫剤、有機リン系殺虫剤等を挙げることができる。一般に安全性が高いことからピレスロイド系殺虫剤が好適に用いられる。
さらに、微量で効力を発揮する高活性のメトフルトリン、トランスフルトリン、エムペントリン、テラレスリン、プロフルトリンが薬剤含浸体を薄く、また小さくできることからより好ましい。
また、上記薬剤に薬剤を徐放化する揮散調整剤（ワセリン類、グリコール類など）、酸化防止剤（ＢＨＴ，ＢＨＡなど）、共力剤（ピペロニルブトキサイド、サイネピリン２２２など）、溶解剤（パラフィン類、多価アルコール類、脂肪酸エステル類など）、紫外線吸収剤、香料などを必要に応じて添加することは勿論である。
【００３１】
本発明に用いる薬剤保持体３としては、薬剤含浸体３０の材質として、紙類（パルプ、リンター、合成紙など）、木製類（おがくずなど）、セラミック、繊維類（化学繊維、ガラス繊維、炭素繊維など）、天然繊維（木綿、羊毛、絹、麻など）、樹脂類（ポリエチレン、ポリプロピレン、レーヨン、ビスコース、高吸油性ポリマーなど）、各繊維からの不織布、天然植物等の乾燥物などが例示される。
前記薬剤含浸体３０の形態としてはシート状、網状、ハニカム状、スノコ状、格子状、綿状、粒状、マット状などが例示される。また、通気性のある袋、容器などに収納したものでも良い。形状としては、円形、四角形、多角形などが例示される。
【００３２】
上下支持体３１，３２の材料としては、樹脂類（ポリエチレンテレフタレート、ポリプロピレン、薬剤含浸ポリエチレン、ポリアセタール、ナイロン、アクリル、ＡＢＳ，ＡＳなど）、合成紙、金属類、などが例示できる。また、これらによる固定形状は、例えば不織布などの材質からなるシートの場合、シート形状を保ち、気流がシートの略全面を通過する開口部を有していればよい。
【図面の簡単な説明】
【００３３】
【図１】本発明の第１の実施の形態を示す平面図である。
【図２】図１のＡ−Ａ断面図である。
【図３】本発明の第２の実施の形態を示す断面図である。
【図４】本発明の第３の実施の形態を示す断面図である。
【図５】本発明の第４の実施の形態を示す断面図である。
【図６】本発明の第５の実施の形態を示す断面図である。
【図７】本発明の第６の実施の形態を示す断面図である。
【符号の説明】
【００３４】
１…容器本体、２…蓋体、３…薬剤保持体、４…収容空間部、１０…底板、１１…周面板、２０…上面板、２１…周面板、３０…薬剤含浸体、３１…上支持体、３１ａ…開口部、３２…下支持体、３２ａ…開口部。
【図１】
2006298447.tif 000003
【図２】
2006298447.tif 000004
【図３】
2006298447.tif 000005
【図４】
2006298447.tif 000006
【図５】
2006298447.tif 000007
【図６】
2006298447.tif 000008
【図７】
2006298447.tif 000009